(57)【要約】【課題】コストを抑えながら省エネルギーモードから読み取り可能となるまでのウェイト時間の更なる短縮を図る。【解決手段】省エネルギーモードからの復帰に際して、検出手段１２００のピーク検出回路１２０２で検出した白基準板のピークデータに基づいて照明手段の照度の立ち上りを検出し、ピークデータが基準レベルを超えた場合には、照明手段の照度が立ち上がったと判定し、ゲイン調整処理へ移行するようにした。これにより、従来のように時間管理にて照明手段の照度の安定を判定していた場合と比較して、ゲイン調整に移行するまでの時間を短縮することができるので、コストを抑えながら省エネルギーモードから読み取り可能となるまでのウェイト時間の更なる短縮を図ることができる。【選択図】        図４
2008072375.tif 000002
【特許請求の範囲】
【請求項１】
待機時に省電力化を図る省エネルギーモードへの移行の際に、ゲインアンプのゲイン調整に際しての読取り対象である白基準板の領域へ走行体が移動して停止するようにした画像読取装置において、
省エネルギーモードからの復帰に際して、照明手段を点灯する点灯手段と、
前記照明手段により照射された前記白基準板のピークデータを検出するピーク検出手段と、
前記ピーク検出手段で検出されたピークデータに基づいて前記照明手段の照度の立ち上りを検出する立ち上り検出手段と、
前記立ち上り検出手段で前記照明手段の照度の立ち上がりを検出した場合、前記ゲインアンプのゲイン調整処理を実行するゲイン調整手段と、
を備えることを特徴とする画像読取装置。
【請求項２】
前記立ち上り検出手段は、前記ピーク検出手段で検出されたピークデータと予め設定された基準レベルとの比較を行うことで照度の立ち上がりを検出する、
ことを特徴とする請求項１記載の画像読取装置。
【請求項３】
前記前記立ち上り検出手段で比較に用いる前記基準レベルは変更可能である、
ことを特徴とする請求項２記載の画像読取装置。
【請求項４】
前記前記立ち上り検出手段で比較に用いる前記基準レベルは、主電源投入時における前記白基準板の読取りレベルに基づいて演算されて保存される、
ことを特徴とする請求項２または３記載の画像読取装置。
【請求項５】
前記立ち上り検出手段は、前記ピーク検出手段で検出されたピークデータの変化率と予め設定された変化率の基準値との比較を行うことで照度の立ち上がりを検出する、
ことを特徴とする請求項１記載の画像読取装置。
【請求項６】
前記前記立ち上り検出手段で比較に用いる前記変化率の基準値は変更可能である、
ことを特徴とする請求項５記載の画像読取装置。
【請求項７】
前記立ち上り検出手段は、前記照明手段の照度の立ち上がりを検出した場合、前記ゲイン調整手段を制御するＣＰＵに対して割込み信号を出力する、
ことを特徴とする請求項１記載の画像読取装置。
【請求項８】
待機時に省電力化を図る省エネルギーモードへの移行の際に、ゲインアンプのゲイン調整に際しての読取り対象である白基準板の領域へ走行体が移動して停止するようにした画像読取装置において、
省エネルギーモードからの復帰に際して、照明手段を点灯する点灯手段と、
前記照明手段により照射された前記白基準板の読取りレベルに基づいて前記ゲインアンプのゲイン調整処理を実行するゲイン調整手段と、
前記ゲイン調整手段によるゲイン調整に基づいて前記照明手段の照度の立ち上りを検出する立ち上り検出手段と、
を備え、
前記立ち上り検出手段で前記照明手段の照度の立ち上がりを検出した場合、前記ゲイン調整手段によるゲイン調整処理を終了する、
ことを特徴とする画像読取装置。
【請求項９】
前記立ち上り検出手段は、前記ゲイン調整手段による前記ゲイン調整値と予め設定された基準レベルとの比較を行うことで照度の立ち上がりを検出する、
ことを特徴とする請求項８記載の画像読取装置。
【請求項１０】
前記前記立ち上り検出手段で比較に用いる前記基準レベルは変更可能である、
ことを特徴とする請求項９記載の画像読取装置。
【請求項１１】
前記立ち上り検出手段は、前記ゲイン調整手段による前記ゲイン調整値の変化率と予め設定された変化率の基準値との比較を行うことで照度の立ち上がりを検出する、
ことを特徴とする請求項８記載の画像読取装置。
【請求項１２】
前記立ち上り検出手段で比較に用いる前記変化率の基準値は変更可能である、
ことを特徴とする請求項１１記載の画像読取装置。
【請求項１３】
請求項１ないし１２のいずれか一記載の画像読取装置と、
前記画像読取装置が読み取った画像データに従って画像を形成して出力する画像印刷装置と、
を備えることを特徴とする画像形成装置。
【請求項１４】
待機時に省電力化を図る省エネルギーモードへの移行の際に、ゲインアンプのゲイン調整に際しての読取り対象である白基準板の領域へ走行体が移動して停止するようにした画像読取装置におけるゲイン調整方法であって、
省エネルギーモードからの復帰に際して、照明工程を点灯する点灯工程と、
前記照明工程により照射された前記白基準板のピークデータを検出するピーク検出工程と、
前記ピーク検出工程で検出されたピークデータに基づいて前記照明工程の照度の立ち上りを検出する立ち上り検出工程と、
前記立ち上り検出工程で前記照明工程の照度の立ち上がりを検出した場合、前記ゲインアンプのゲイン調整処理を実行するゲイン調整工程と、
を含むことを特徴とするゲイン調整方法。
【請求項１５】
前記立ち上り検出工程は、前記ピーク検出工程で検出されたピークデータと予め設定された基準レベルとの比較を行うことで照度の立ち上がりを検出する、
ことを特徴とする請求項１４記載のゲイン調整方法。
【請求項１６】
前記前記立ち上り検出工程で比較に用いる前記基準レベルは変更可能である、
ことを特徴とする請求項１５記載のゲイン調整方法。
【請求項１７】
前記前記立ち上り検出工程で比較に用いる前記基準レベルは、主電源投入時における前記白基準板の読取りレベルに基づいて演算されて保存される、
ことを特徴とする請求項１５または１６記載のゲイン調整方法。
【請求項１８】
前記立ち上り検出工程は、前記ピーク検出工程で検出されたピークデータの変化率と予め設定された変化率の基準値との比較を行うことで照度の立ち上がりを検出する、
ことを特徴とする請求項１４記載のゲイン調整方法。
【請求項１９】
前記前記立ち上り検出工程で比較に用いる前記変化率の基準値は変更可能である、
ことを特徴とする請求項１８記載のゲイン調整方法。
【請求項２０】
前記立ち上り検出工程は、前記照明手段の照度の立ち上がりを検出した場合、前記ゲイン調整工程を制御するＣＰＵに対して割込み信号を出力する、
ことを特徴とする請求項１４記載のゲイン調整方法。
【請求項２１】
待機時に省電力化を図る省エネルギーモードへの移行の際に、ゲインアンプのゲイン調整に際しての読取り対象である白基準板の領域へ走行体が移動して停止するようにした画像読取装置におけるゲイン調整方法であって、
省エネルギーモードからの復帰に際して、照明工程を点灯する点灯工程と、
前記照明工程により照射された前記白基準板の読取りレベルに基づいて前記ゲインアンプのゲイン調整処理を実行するゲイン調整工程と、
前記ゲイン調整工程によるゲイン調整に基づいて前記照明工程の照度の立ち上りを検出する立ち上り検出工程と、
を含み、
前記立ち上り検出工程で前記照明工程の照度の立ち上がりを検出した場合、前記ゲイン調整工程によるゲイン調整処理を終了する、
ことを特徴とするゲイン調整方法。
【請求項２２】
前記立ち上り検出工程は、前記ゲイン調整工程による前記ゲイン調整値と予め設定された基準レベルとの比較を行うことで照度の立ち上がりを検出する、
ことを特徴とする請求項２１記載のゲイン調整方法。
【請求項２３】
前記前記立ち上り検出工程で比較に用いる前記基準レベルは変更可能である、
ことを特徴とする請求項２２記載のゲイン調整方法。
【請求項２４】
前記立ち上り検出工程は、前記ゲイン調整工程による前記ゲイン調整値の変化率と予め設定された変化率の基準値との比較を行うことで照度の立ち上がりを検出する、
ことを特徴とする請求項２１記載のゲイン調整方法。
【請求項２５】
前記立ち上り検出工程で比較に用いる前記変化率の基準値は変更可能である、
ことを特徴とする請求項２４記載のゲイン調整方法。
【発明の詳細な説明】
【技術分野】
【０００１】
本発明は、デジタル複写機、スキャナ、フアクシミリなどに用いられる画像読取装置、画像形成装置およびゲイン調整方法に関する。
【背景技術】
【０００２】
最近、環境保護、省エネルギーが取り上げられ、複写機やＭＦＰなどの設計においても、エナジースター、ＺＥＳＭ等の省エネルギーを目標として提唱されている規格に適合させるための努力が続けられている。これらの規格は省エネルギーを目的とし、待機状態（主電源オン後、使用されない状態が所定の時間経ったときに一部の電源供給を停止し、復帰指令を待つ状態）にある時、消費エネルギーに制限を設けたものである。
【０００３】
現在、複写機やＭＦＰで実施されている待機時における省エネモードは、消費電力の大きい定着ヒータをはじめ、操作パネル等の電源はオフ、あるいは低電力運転に切り替えられ、スキャナ部に於いては電源を一括してオフされることが一般的である。
【０００４】
一方、待機状態にある複写機やＭＦＰを使用する場合は、電源をオン状態に戻したり、低電力運転から通常運転状態に戻し、使用可能な状態になるまでユーザを待たせることになる。この待ち時間はユーザにとっては実際以上に長く感じられ、ストレスを与えることにつながっている。
【０００５】
具体的には、待機状態からの復帰時において、スキャナ部は得られたアナログ画像信号が精度良くデジタル画像信号に変換されるように、電源がオンされた時に以下の調整を行っている。
・ アナログ画像信号を程よい大きさに増幅するための増幅率の調整。
・ 黒レベルが最適な値になるように基準レベルの調整。
【０００６】
従って、スキャナ部への電源供給を停止する場合における待機状態からの復帰時に、上記した調整を行うための時間が含まれ、ユーザをより長く待たせる結果につながると言う不具合がある。
【０００７】
そこで従来においては、ゲイン調整実行前の走行体のイニシャライズ処理（ホームポジション検出）を省略して上述した調整に掛かる時間の短縮を行うもの（特許文献１）や上述した調整の初期値を保存しておいた省エネモード移行前の値とする事で調整に掛かる時間の短縮を行うもの（特許文献２，３）などが提案されている。
【０００８】
【特許文献１】特開２００２−１１８７２６号公報
【特許文献２】特開２００２−１１２０２７号公報
【特許文献３】特開２００２−０７７５２０号公報
【発明の開示】
【発明が解決しようとする課題】
【０００９】
しかしながら、近年においては、特許文献１〜３のような技術による復帰時間の短縮化に加えて、更なる復帰時間の短縮が必要となってきている。
【００１０】
本発明は、上記に鑑みてなされたものであって、コストを抑えながら省エネルギーモードから読み取り可能となるまでのウェイト時間の更なる短縮を図ることを目的とする。
【課題を解決するための手段】
【００１１】
上述した課題を解決し、目的を達成するために、請求項１にかかる発明は、待機時に省電力化を図る省エネルギーモードへの移行の際に、ゲインアンプのゲイン調整に際しての読取り対象である白基準板の領域へ走行体が移動して停止するようにした画像読取装置において、省エネルギーモードからの復帰に際して、照明手段を点灯する点灯手段と、前記照明手段により照射された前記白基準板のピークデータを検出するピーク検出手段と、前記ピーク検出手段で検出されたピークデータに基づいて前記照明手段の照度の立ち上りを検出する立ち上り検出手段と、前記立ち上り検出手段で前記照明手段の照度の立ち上がりを検出した場合、前記ゲインアンプのゲイン調整処理を実行するゲイン調整手段と、を備える。
【００１２】
また、請求項２にかかる発明は、請求項１記載の画像読取装置において、前記立ち上り検出手段は、前記ピーク検出手段で検出されたピークデータと予め設定された基準レベルとの比較を行うことで照度の立ち上がりを検出する。
【００１３】
また、請求項３にかかる発明は、請求項２記載の画像読取装置において、前記前記立ち上り検出手段で比較に用いる前記基準レベルは変更可能である。
【００１４】
また、請求項４にかかる発明は、請求項２または３記載の画像読取装置において、前記前記立ち上り検出手段で比較に用いる前記基準レベルは、主電源投入時における前記白基準板の読取りレベルに基づいて演算されて保存される。
【００１５】
また、請求項５にかかる発明は、請求項１記載の画像読取装置において、前記立ち上り検出手段は、前記ピーク検出手段で検出されたピークデータの変化率と予め設定された変化率の基準値との比較を行うことで照度の立ち上がりを検出する。
【００１６】
また、請求項６にかかる発明は、請求項５記載の画像読取装置において、前記前記立ち上り検出手段で比較に用いる前記変化率の基準値は変更可能である。
【００１７】
また、請求項７にかかる発明は、請求項１記載の画像読取装置において、前記立ち上り検出手段は、前記照明手段の照度の立ち上がりを検出した場合、前記ゲイン調整手段を制御するＣＰＵに対して割込み信号を出力する。
【００１８】
また、請求項８にかかる発明は、待機時に省電力化を図る省エネルギーモードへの移行の際に、ゲインアンプのゲイン調整に際しての読取り対象である白基準板の領域へ走行体が移動して停止するようにした画像読取装置において、省エネルギーモードからの復帰に際して、照明手段を点灯する点灯手段と、前記照明手段により照射された前記白基準板の読取りレベルに基づいて前記ゲインアンプのゲイン調整処理を実行するゲイン調整手段と、前記ゲイン調整手段によるゲイン調整に基づいて前記照明手段の照度の立ち上りを検出する立ち上り検出手段と、を備え、前記立ち上り検出手段で前記照明手段の照度の立ち上がりを検出した場合、前記ゲイン調整手段によるゲイン調整処理を終了する。
【００１９】
また、請求項９にかかる発明は、請求項８記載の画像読取装置において、前記立ち上り検出手段は、前記ゲイン調整手段による前記ゲイン調整値と予め設定された基準レベルとの比較を行うことで照度の立ち上がりを検出する。
【００２０】
また、請求項１０にかかる発明は、請求項９記載の画像読取装置において、前記前記立ち上り検出手段で比較に用いる前記基準レベルは変更可能である。
【００２１】
また、請求項１１にかかる発明は、請求項８記載の画像読取装置において、前記立ち上り検出手段は、前記ゲイン調整手段による前記ゲイン調整値の変化率と予め設定された変化率の基準値との比較を行うことで照度の立ち上がりを検出する。
【００２２】
また、請求項１２にかかる発明は、請求項１１記載の画像読取装置において、前記立ち上り検出手段で比較に用いる前記変化率の基準値は変更可能である。
【００２３】
また、請求項１３にかかる発明の画像形成装置は、請求項１ないし１２のいずれか一記載の画像読取装置と、前記画像読取装置が読み取った画像データに従って画像を形成して出力する画像印刷装置と、を備える。
【００２４】
また、請求項１４にかかる発明は、待機時に省電力化を図る省エネルギーモードへの移行の際に、ゲインアンプのゲイン調整に際しての読取り対象である白基準板の領域へ走行体が移動して停止するようにした画像読取装置におけるゲイン調整方法であって、省エネルギーモードからの復帰に際して、照明工程を点灯する点灯工程と、前記照明工程により照射された前記白基準板のピークデータを検出するピーク検出工程と、前記ピーク検出工程で検出されたピークデータに基づいて前記照明工程の照度の立ち上りを検出する立ち上り検出工程と、前記立ち上り検出工程で前記照明工程の照度の立ち上がりを検出した場合、前記ゲインアンプのゲイン調整処理を実行するゲイン調整工程と、を含む。
【００２５】
また、請求項１５にかかる発明は、請求項１４記載のゲイン調整方法において、前記立ち上り検出工程は、前記ピーク検出工程で検出されたピークデータと予め設定された基準レベルとの比較を行うことで照度の立ち上がりを検出する。
【００２６】
また、請求項１６にかかる発明は、請求項１５記載のゲイン調整方法において、前記前記立ち上り検出工程で比較に用いる前記基準レベルは変更可能である。
【００２７】
また、請求項１７にかかる発明は、請求項１５または１６記載のゲイン調整方法において、前記前記立ち上り検出工程で比較に用いる前記基準レベルは、主電源投入時における前記白基準板の読取りレベルに基づいて演算されて保存される。
【００２８】
また、請求項１８にかかる発明は、請求項１４記載のゲイン調整方法において、前記立ち上り検出工程は、前記ピーク検出工程で検出されたピークデータの変化率と予め設定された変化率の基準値との比較を行うことで照度の立ち上がりを検出する。
【００２９】
また、請求項１９にかかる発明は、請求項１８記載のゲイン調整方法において、前記前記立ち上り検出工程で比較に用いる前記変化率の基準値は変更可能である。
【００３０】
また、請求項２０にかかる発明は、請求項１４記載のゲイン調整方法において、前記立ち上り検出工程は、前記照明手段の照度の立ち上がりを検出した場合、前記ゲイン調整工程を制御するＣＰＵに対して割込み信号を出力する。
【００３１】
また、請求項２１にかかる発明は、待機時に省電力化を図る省エネルギーモードへの移行の際に、ゲインアンプのゲイン調整に際しての読取り対象である白基準板の領域へ走行体が移動して停止するようにした画像読取装置におけるゲイン調整方法であって、省エネルギーモードからの復帰に際して、照明工程を点灯する点灯工程と、前記照明工程により照射された前記白基準板の読取りレベルに基づいて前記ゲインアンプのゲイン調整処理を実行するゲイン調整工程と、前記ゲイン調整工程によるゲイン調整に基づいて前記照明工程の照度の立ち上りを検出する立ち上り検出工程と、を含み、前記立ち上り検出工程で前記照明工程の照度の立ち上がりを検出した場合、前記ゲイン調整工程によるゲイン調整処理を終了する。
【００３２】
また、請求項２２にかかる発明は、請求項２１記載のゲイン調整方法において、前記立ち上り検出工程は、前記ゲイン調整工程による前記ゲイン調整値と予め設定された基準レベルとの比較を行うことで照度の立ち上がりを検出する。
【００３３】
また、請求項２３にかかる発明は、請求項２２記載のゲイン調整方法において、前記前記立ち上り検出工程で比較に用いる前記基準レベルは変更可能である。
【００３４】
また、請求項２４にかかる発明は、請求項２１記載のゲイン調整方法において、前記立ち上り検出工程は、前記ゲイン調整工程による前記ゲイン調整値の変化率と予め設定された変化率の基準値との比較を行うことで照度の立ち上がりを検出する。
【００３５】
また、請求項２５にかかる発明は、請求項２４記載のゲイン調整方法において、前記立ち上り検出工程で比較に用いる前記変化率の基準値は変更可能である。
【発明の効果】
【００３６】
請求項１，１４にかかる発明によれば、省エネルギーモードからの復帰に際して、白基準板のピークデータに基づいて照明手段の照度の立ち上りを検出し、ゲイン調整処理へ移行する為の判定処理を行うようにしたことにより、従来のように時間管理にて照明手段の照度の安定を判定していた場合と比較して、ゲイン調整に移行するまでの時間を短縮することができるので、コストを抑えながら省エネルギーモードから読み取り可能となるまでのウェイト時間の更なる短縮を図ることができる、という効果を奏する。
【００３７】
また、請求項２，１５にかかる発明によれば、検出されたピークデータと予め設定された基準レベルとの比較を行うことで照度の立ち上がりを検出することにより、照明手段の照度の立ち上がりを容易に検出することができるので、初期調整にかかる時間の短縮を図ることができる、という効果を奏する。
【００３８】
また、請求項３，１６にかかる発明によれば、照明手段の照度に応じて照度立ち上がりの基準レベルを任意に可変出来るようにすることで、経時の変動にもフレキシブルに対応することができる、という効果を奏する。
【００３９】
また、請求項４，１７にかかる発明によれば、基準レベルは、主電源投入時における白基準板の読取りレベル（電源投入時のイニシャライズ処理における照明手段の照度の検出レベル）に基づいて演算されて保存されることにより、省電力状態からの復帰でない場合の照度を基準レベルとすることになるので、より適切な基準レベルを設定し、経時の変動にもフレキシブルに対応することができる、という効果を奏する。
【００４０】
また、請求項５，１８にかかる発明によれば、検出されたピークデータの変化率と予め設定された変化率の基準値との比較を行うことで照度の立ち上がりを検出することにより、基準レベルの設定を必要とせず、ウェイト時間の短縮を行なうことができる、という効果を奏する。
【００４１】
また、請求項６，１９にかかる発明によれば、比較に用いる変化率の基準値は変更可能であることにより、照明手段の照度の立ち上がりを容易に検出することが可能となり、初期調整にかかる時間の短縮を図ることができる、という効果を奏する。
【００４２】
また、請求項７，２０にかかる発明によれば、照度立ち上がりの基準レベルを超えた場合に割込み信号を発生させることでリアルタイムな処理の実行を可能とし、制御の負荷を軽減することができる、という効果を奏する。
【００４３】
また、請求項８，２１にかかる発明によれば、照度の立ち上がり途中におけるゲイン調整の実行結果から照度の立ち上がりを判断することで、初期調整にかかる時間を短縮し、復帰時間の短縮を図ることができる、という効果を奏する。
【００４４】
また、請求項９，２２にかかる発明によれば、ゲイン調整値と予め設定された基準レベルとの比較を行うことで照度の立ち上がりを検出することにより、照明手段の照度の立ち上がりを容易に検出することができるので、初期調整にかかる時間の短縮を図ることができる、という効果を奏する。
【００４５】
また、請求項１０，２３にかかる発明によれば、照明手段の照度に応じて照度立ち上がりの基準レベルを任意に可変出来るようにすることで、経時の変動にもフレキシブルに対応することができる、という効果を奏する。
【００４６】
また、請求項１１，２４にかかる発明によれば、ゲイン調整値の変化率と予め設定された変化率の基準値との比較を行うことで照度の立ち上がりを検出することにより、基準レベルの設定を必要とせず、ウェイト時間の短縮を行なうことができる、という効果を奏する。
【００４７】
また、請求項１２，２５にかかる発明によれば、変化率の基準値は変更可能であることにより、照明手段の照度の立ち上がりを容易に検出することが可能となり、初期調整にかかる時間の短縮を図ることができる、という効果を奏する。
【００４８】
また、請求項１３にかかる発明によれば、従来のように時間管理にて照明手段の照度の安定を判定していた場合と比較して、ゲイン調整に移行するまでの時間を短縮することができるので、コストを抑えながら省エネルギーモードから読み取り可能となるまでのウェイト時間の更なる短縮を図ることができる、という効果を奏する。
【発明を実施するための最良の形態】
【００４９】
以下に添付図面を参照して、この発明にかかる画像読取装置、画像形成装置およびゲイン調整方法の最良な実施の形態を詳細に説明する。
【００５０】
［第１の実施の形態］
本発明の第１の実施の形態を図１ないし図１２に基づいて説明する。本実施の形態は画像形成装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi Function Peripheral）と称されるデジタル複合機を適用した例である。
【００５１】
図１は、本発明の第１の実施の形態にかかるデジタル複合機１０００を概略的に示す構成図である。本実施の形態にかかるデジタル複合機１０００は、後処理装置であるフィニシャ１００と画像読取装置であるスキャナ部２００と画像印刷装置であるプリンタ部３００とで構成されている。
【００５２】
本実施の形態にかかるデジタル複合機１０００は、操作部４００（図２参照）のアプリケーション切り替えキーにより、複写機能、プリンタ機能、およびファクシミリ機能を順次に切り替えて選択することが可能となっており、複写機能の選択時には複写モードとなり、プリンタ機能の選択時にはプリンタモードとなり、ファクシミリモードの選択時にはファクシミリモードとなる。ここでは、複写モードにおける画像形成の流れを例に挙げ、図１を参照して説明する。
【００５３】
まず、デジタル複合機１０００のスキャナ部２００について説明する。スキャナ部２００は、概略的には、自動原稿送り装置（以後、ＡＤＦ（Auto Document Feeder）という。）１と読み取りユニット５０とで構成されている。
【００５４】
ＡＤＦ１の原稿台２に原稿の画像面を上にして置かれた原稿束は、操作部４００上のプリントキー（図示せず）が押下されると、一番下の原稿から給送ローラ３、給送ベルト４によってコンタクトガラス６上の所定の位置に給送される。なお、デジタル複合機１０００は、１枚の原稿をコンタクトガラス６上の所定の位置に給送完了する毎に原稿枚数をカウントアップするカウント機能を有している。
【００５５】
コンタクトガラス６上の所定の位置に給送された原稿は、読み取りユニット５０によって画像データを読み取られる。
【００５６】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、図示しない第１キャリッジ上に固定され、第２ミラー５５および第３ミラー５６は、図示しない第１キャリッジ上に固定されている。この光学走査系は、図示しないスキャナ駆動モータにて駆動される。本実施の読み取りユニット５０は、コンタクトガラス６上に原稿が搭載された場合に、露光ランプ５１を点灯し、走行体である第１キャリッジおよび第２キャリッジをスキャナ駆動モータにより右方向に移動走査して原稿を読み取る読み取り方式と、露光ランプ５１を点灯し、第１キャリッジおよび第２キャリッジは停止した状態のまま、ＡＤＦ１によって搬送される原稿を読み取る読み取り方式が選択可能である。第１キャリッジおよび第２キャリッジをスキャナ駆動モータにより右方向に移動走査して原稿を読み取る読み取り方式の場合には、原稿像を読み取るときには、光路長が変わらないように、第１キャリッジと第２キャリッジとが２対１の相対速度で副走査方向に機械的に走査される。原稿画像は、ＣＣＤイメージセンサ５４によって読み取られ、電気信号に変換されて出力される。ＣＣＤイメージセンサ５４からの出力信号は、ＡＤコンバータによりデジタルデータ（画像データ）に変換される。
【００５７】
デジタルデータに変換された原稿画像情報は、例えばプリンタ部３００に送られてプリント出力として画像情報の出力が行なわれる場合や、あるいは記憶装置に送られて入力画像情報の記憶が行なわれる場合等、種々あり、各々のスキャナ部２００の情報として使用されている。
【００５８】
読み取りユニット５０によって画像データの読み取りが終了した原稿は、給送ベルト４および排送ローラ５によって排出される。
【００５９】
さらに、原稿セット検知７にて原稿台２に次の原稿が有ることを検知した場合、前原稿と同様に、次の原稿がコンタクトガラス６上に給送される。
【００６０】
上述した給送ローラ３、給送ベルト４、排送ローラ５は、それぞれ搬送モータ（図示せず）によって駆動される。
【００６１】
次に、デジタル複合機１０００のプリンタ部３００について説明する。プリンタ部３００は、概略的には、作像ステーション７０と定着ユニット１７と給紙部８０と両面給紙ユニット１１１とで構成されている。
【００６２】
作像ステーション７０は、電子写真方式で作像するものであり、書き込みユニット５７と感光体１５と現像ユニット２７と転写部としても機能する搬送ベルト１６とを主体として構成されている。
【００６３】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１１、第２給紙装置１２、第３給紙装置１３によって給紙され、縦搬送ユニット１４によって感光体１５に当接する位置まで搬送される。
【００６４】
読み取りユニット５０にて読み込まれた画像データは、書き込みユニット５７から出力されるレーザビームによって感光体１５に書き込まれ、現像ユニット２７を通過することによってトナー像が形成される。書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。なお、特に図示しないが、感光体１５の一端近傍のレーザビームを照射される位置に、主走査同期信号を発生するビームセンサが配置されている。
【００６５】
感光体１５上のトナー像は、感光体１５の回転と等速で搬送ベルト１６によって搬送される転写紙Ｐに転写される。その後、定着ユニット１７に搬送されて画像を定着された転写紙Ｐは、排紙ユニット１８によって後処理装置であるフィニシャ１００に排出される。
【００６６】
後処理装置のフィニシャ１００は、排紙ユニット１８の排紙ローラ１９によって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００６７】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００６８】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００６９】
本実施の形態にかかるデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００７０】
なお、上述した感光体１５、搬送ベルト１６、定着ユニット１７、排紙ユニット１８、現像ユニット２７、フィニシャ１００は、メインモータ（図示せず）によって駆動され、各給紙装置１１〜１３はメインモータの駆動を各々給紙クラッチ（図示せず）によって伝達駆動される。縦搬送ユニット１４は、メインモータの駆動を中間クラッチ（図示せず）によって伝達駆動される。
【００７１】
図２は、デジタル複合機１０００のハードウェア構成を示すブロック図である。図２に示すように、このデジタル複合機１０００は、コントローラ１１０１とプリンタ部３００及びスキャナ部２００とをＰＣＩ（Peripheral Component Interconnect）バスで接続した構成となる。コントローラ１１０１は、デジタル複合機１０００全体の制御と描画、通信、操作部４００からの入力を制御するコントローラである。なお、プリンタ部３００又はスキャナ部２００には、誤差拡散やガンマ変換などの画像処理部分が含まれる。
【００７２】
コントローラ１１０１は、コンピュータの主要部であるＣＰＵ（Central Processing Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ−Ｐ１１１２は、ＲＯＭ（Read Only Memory）１１１２ａと、ＲＡＭ（Random Access Memory）１１１２ｂとをさらに有する。
【００７３】
ＣＰＵ１１１１は、デジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００７４】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００７５】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００７６】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００７７】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、プリンタ部３００やスキャナ部２００との間でＰＣＩバスを介したデータ転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００７８】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプログラムの蓄積、フォントデータの蓄積、フォームの蓄積を行うためのストレージである。
【００７９】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００８０】
次に、本実施の形態のデジタル複合機１０００のコントローラ１１０１がプログラムに従って実現する待機時に省電力化を図る省エネルギーモード（以下、省エネモードという）機能について簡単に説明する。デジタル複合機１０００で実施される待機時における省エネモードは、消費電力の大きい定着ユニット１７の定着ヒータや操作部４００等の電源はオフあるいは低電力運転に切り替え、スキャナ部２００においては電源を一括してオフする。より詳細には、デジタル複合機１０００は、下記に示す３種類の省エネモードを備えている。
低電力モード：最後に機器を使用してから一定時間経過した場合に、エンジン系負荷の一部を除いて電源供給停止＋定着温度を下げる。
スリープモード：低電力モードに移行後、引き続き操作が行われなかった場合、エンジン系負荷への電源供給を停止する。
オフモード：設定時間以上機器を使用しない場合に、エンジン系負荷は全て、コントローラ系負荷は一部を除いて電源供給停止する。
【００８１】
なお、スリープモードは、オプション追加によりプリンタ機能やスキャナ機能を有した場合に有効となる。オフモードは、コピー機能しか有しない場合に有効となる。よって、スリープとオフモードは、デジタル複合機１０００がどのような機能を有しているかにより、一方の機能のみ有効になる。すなわち、スリープモードとオフモードは、排他の関係にある。
【００８２】
ところで、上述したような省エネモードによる待機状態からの復帰時においては、スキャナ部２００は、得られたアナログ画像信号が精度良くデジタル画像信号に変換されるように、電源がオンされた時に以下の調整を行っている。
・ アナログ画像信号を程よい大きさに増幅するための増幅率の調整。
・ 黒レベルが最適な値になるように基準レベルの調整。
【００８３】
従って、待機状態においてスキャナ部２００への電源供給を停止する場合における待機状態からの復帰時に、上記した調整を行うための時間が含まれるため、電源投入後のスキャナ部２００の原稿読み取り可能となるまでのウェイト時間の短縮が望まれている。
【００８４】
次に、本実施の形態のデジタル複合機１０００が備える特徴的な機能について説明する。
【００８５】
図３は、スキャナ部２００の読み取りユニット５０を示す概略構成図である。前述した構成に加えて、読み取りユニット５０の上部であってコンタクトガラス６の副走査方向上流側には、白基準板９０が配置されている。この白基準板９０は、電源オン時には画像信号を増幅するゲインアンプのゲイン調整する際の読み取り対象であり、原稿読み取り時にはシェーディング補正データを得るための読み取り対象である、主走査方向に設けられた均一濃度のほぼ白色の部材である。
【００８６】
本実施の形態のデジタル複合機１０００においては、原稿の読み取りに先立って白基準板９０の読み取りデータを走査して、シェーディング補正用データを生成しメモリに記憶しておき、そのシェーディング補正用データで原稿画像を読み取りながら正規化することで、該装置における光量分布ムラ、ＣＣＤの感度ムラ、そして出力変動等を補正し、原稿の画像情報を精度よく読み取っている。
【００８７】
ＣＣＤイメージセンサ５４は、ＣＣＤ基板９２に搭載されている。このＣＣＤ基板９２は、信号処理ＩＣ９１（図４参照）などを備えている。ＣＣＤ基板９２は、入射光量に対応した電圧を出力し、画像処理部９３に画像データとして渡す。
【００８８】
上述したように、スキャナ部２００はコントローラ１１０１に制御されるものであり、ＣＣＤ基板９２と画像処理部９３とについてもコントローラ１１０１により制御されることになる。
【００８９】
ここで、図４はスキャナ部２００の制御系を示すブロック図である。図４に示すように、コントローラ１１０１は、信号処理ＩＣ９１を制御する。また、コントローラ１１０１は、ゲイン調整に用いる白基準板９０のピーク検出機能および露光ランプ５１の照度の立ち上りの検出機能を備える検出手段１２００を有している。検出手段１２００は、白基準板９０の読取レベルに対してノイズを除去する為の平均化処理を行なう平均化回路１２０１と、白基準板９０の読取レベルについてピークデータを検出するピーク検出回路１２０２と、基準レベルを保持する基準レベル保持回路１２０３と、ピーク検出回路１２０２で検出したピークデータと基準レベル保持回路１２０３が保持する基準レベルとを比較する比較回路１２０４とで構成されている。
【００９０】
図４に示すように、ＣＣＤイメージセンサ５４からの読み取り画像信号を処理する信号処理ＩＣ９１は、ＲＧＢ毎のアナログ処理回路により信号処理し、その後Ａ／Ｄ変換し、読み取りデータとして画像処理部９３に出力するまでの読み取り画像の信号処理を行う。信号処理ＩＣ９１内の信号処理のフローを説明すると、ここでは、ＣＣＤイメージセンサ５４の出力を交流結合した信号をクランプ（ＣＬＭＰ）回路９１ａによりラインクランプした後、サンプルホールド（ＳＨ）回路９１ｂにより保持し、保持した信号をゲインが制御できる可変ゲインアンプ（ＶＧＡ）９１ｃを通して増幅してＡ／Ｄコンバータ（ＡＤＣ）９１ｄに入力する。変換後のデジタル画像データは、読み取り画像データとして画像処理部９３に入力される。信号処理ＩＣ９１は、上記した信号処理フローを実行する制御信号を生成するために、ＣＣＤイメージセンサ５４の駆動や信号処理ＩＣ９１のタイミング信号を発生するタイミングジェネレータ９１ｅ、ＣＰＵ１１１１と直接やり取りを行うＣＰＵ ＩＦ９１ｆ等を構成要素として有する。
【００９１】
このようなデジタル複合機１０００の主電源投入時又は省エネモードからの復帰時には、Ａ／Ｄコンバータ（ＡＤＣ）９１ｄのダイナミックレンジを有効に使用するため、上記白基準板９０の読取レベルが規定のレベルとなるようにＣＣＤ出力のゲイン調整を行う処理が実行される。ＣＣＤ出力のゲイン調整は、ＣＣＤ出力をサンプリングした後、可変ゲインアンプ（ＶＧＡ）９１ｃにてアナログ信号として増幅する。なお、ＣＣＤ出力のゲイン調整は、コンバータの分解能が十分な場合には、Ａ／Ｄ変換を行った後にデジタル的に増幅する場合もある。また、ＣＣＤ出力のゲイン調整は、両者の組合せで行う場合もある。
【００９２】
主電源投入時又は省エネモードからの復帰時からゲイン調整にいたるステップとしては、一般的に次のような手順となる。まず、第１キャリッジおよび第２キャリッジのイニシャライズ処理（ホームポジション検出）を行った後、露光ランプ５１の起動及び白基準板９０領域へ第１キャリッジおよび第２キャリッジの移動が行われた後、ゲイン調整が実行される。ゲイン調整終了後、第１キャリッジおよび第２キャリッジのホームポジションへの移動が行われ、原稿画像読取が可能な待機状態へ移行する。
【００９３】
ここで、図５はスキャナ部２００の省エネモードからの復帰処理の流れを示すフローチャートである。ここでは、第１キャリッジおよび第２キャリッジは、省エネモードへの移行時に白基準板９０の領域へ移動して停止した状態となっている。なお、通常動作に戻る場合、原稿のセットなどをトリガとして、復帰の処理が実行される。
【００９４】
復帰処理が開始されると、信号処理ＩＣ９１等に必要な初期設定が行われ（ステップＳ１）、露光ランプ５１の点灯処理が行われる（ステップＳ２：点灯手段）。
【００９５】
従来は、この後、第１キャリッジおよび第２キャリッジのホームポジションへと移動するホーミング動作を行うため、露光ランプ５１の照度の安定期間を確保することが可能となっていた。しかしながら、第１キャリッジおよび第２キャリッジがすでに白基準板９０の領域にいる場合においては、露光ランプ５１の照度の安定期間のウェイトが必要となる。前述したように、本実施の形態では、更なる調整時間の短縮を行うため、ゲイン調整に用いる白基準板９０のピーク検出機能を用いて露光ランプ５１の照度の立ち上がりを検出し、調整処理へ移行する為の判定処理を行っている。本実施の形態においては、露光ランプ５１を点灯した後、一定間隔で白基準板９０の読取レベルを検出し、予め設定してある基準レベルに対する判定を行う。
【００９６】
具体的には、白基準板９０を読取り（ステップＳ３）、ピークデータを検出する（ステップＳ４：ピーク検出手段）。ピークデータの検出は、検出手段１２００により実行される。すなわち、検出手段１２００の平均化回路１２０１で白基準板９０の読取レベルに対してノイズを除去する為の平均化処理が行われ、平均化処理が行われた白基準板９０の読取レベルについてピーク検出回路１２０２でピークデータが検出される。
【００９７】
その後、ピークデータが基準レベル以上か否かが判定される（ステップＳ５）。ピークデータが基準レベル以上か否かの判定も、検出手段１２００により実行される。すなわち、ピーク検出回路１２０２で検出したピークデータと、基準レベル保持回路１２０３が保持する基準レベルとの比較が比較回路１２０４で行われる。
【００９８】
ピークデータが基準レベルを超えた場合には、露光ランプ５１の照度が立ち上がったと判定し（ステップＳ５のＹｅｓ：立ち上り検出手段）、ゲイン調整処理へ移行する（ステップＳ６：ゲイン調整手段）。
【００９９】
ゲイン調整が終了すると、第１キャリッジおよび第２キャリッジのホームポジションへの移動であるホーミング処理を行い、原稿画像読取が可能な待機状態へ移行し（ステップＳ７）、露光ランプ５１の消灯処理を行って（ステップＳ８）、処理を終了する。
【０１００】
このように本実施の形態によれば、省エネモードへの移行時に第１キャリッジおよび第２キャリッジが白基準板９０の領域へ移動して停止した状態である場合において、省エネモードからの復帰時のスキャナ部２００の原稿読み取り可能となるまでのウェイト時間の短縮を図るため、ゲイン調整に用いる白基準板９０のピーク検出機能を用いて露光ランプ５１の照度の立ち上りを検出し、ゲイン調整処理へ移行する為の判定処理を行うようにしたことにより、従来のように時間管理にて露光ランプ５１の照度の安定を判定していた場合と比較して、更なる調整時間の短縮を図ることができる。
【０１０１】
なお、基準レベル保持回路１２０３が保持する基準レベルは、以下の方法で取得可能である。例えば、従来と同様、主電源ＯＮ時に初期設定処理、ランプ点灯処理、走行体のホーミング処理を経て、白基準板９０の領域への移動が行われる。このとき、ゲイン調整を開始する前に、白基準板９０の読み取りが実行される。このときの読取レベルに基づいて、ランプ立ち上りを判断するための基準レベルの演算及び基準レベルの保存が行われる。このときの基準レベルは、露光ランプ５１の照度変動の特性を考慮して、読取ったレベルの７０〜８０％程度を基準レベルとして設定する。また、基準レベルを超えてからのウエイトを入れる場合などは、より低い基準レベルとすることもできる。
【０１０２】
また、基準レベル保持回路１２０３が保持する基準レベルは変更することができるものであっても良い。このように基準レベルを可変とすることにより、スキャナ部２００の状態に応じた基準レベルの設定が可能となっている。
【０１０３】
［第２の実施の形態］
次に、本発明の第２の実施の形態を図６および図７に基づいて説明する。なお、前述した第１の実施の形態と同じ部分は同じ符号で示し説明も省略する。
【０１０４】
ここで、図６はスキャナ部２００の制御系を示すブロック図である。図６に示すように、本実施の形態においては、ピーク検出回路１２０２で検出したピークデータと、基準レベル保持回路１２０３が保持する基準レベルとの比較が比較回路１２０４で行われた結果、ピークデータが予め設定された基準レベルを超えた場合に、比較回路１２０４はＣＰＵ１１１１に対して割込み信号を出力する。ＣＰＵ１１１１は、比較回路１２０４からの割込み信号を受け取ると、ゲイン調整処理を開始する。
【０１０５】
図７は、スキャナ部２００の省エネモードからの復帰処理の流れを示すフローチャートである。ここでは、第１キャリッジおよび第２キャリッジは、省エネモードへの移行時に白基準板９０の領域へ移動して停止した状態となっている。なお、通常動作に戻る場合、原稿のセットなどをトリガとして、復帰の処理が実行される。
【０１０６】
復帰処理が開始されると、信号処理ＩＣ９１等に必要な初期設定が行われ（ステップＳ１１）、露光ランプ５１の点灯処理が行われる（ステップＳ１２）。
【０１０７】
従来は、この後、第１キャリッジおよび第２キャリッジのホームポジションへと移動するホーミング動作を行うため、露光ランプ５１の照度の安定期間を確保することが可能となっていた。しかしながら、第１キャリッジおよび第２キャリッジがすでに白基準板９０の領域にいる場合においては、露光ランプ５１の照度の安定期間のウェイトが必要となる。前述したように、本実施の形態では、更なる調整時間の短縮を行うため、ゲイン調整に用いる白基準板９０のピーク検出機能を用いて露光ランプ５１の照度の立ち上がりを検出し、調整処理へ移行する為の判定処理を行っている。本実施の形態においては、露光ランプ５１を点灯した後、一定間隔で白基準板９０の読取レベルを検出し、予め設定してある基準レベルに対する判定を行う。
【０１０８】
具体的には、白基準板９０を読取るとともに、ピークデータの検出を開始する（ステップＳ１３）。ピークデータの検出は、検出手段１２００により実行される。すなわち、検出手段１２００の平均化回路１２０１で白基準板９０の読取レベルに対してノイズを除去する為の平均化処理が行われ、平均化処理が行われた白基準板９０の読取レベルについてピーク検出回路１２０２でピークデータが検出される。
【０１０９】
その後、ピークデータが予め設定された基準レベルを超えた場合に、比較回路１２０４からの割込み信号を受け取ると（ステップＳ１４のＹｅｓ）、露光ランプ５１の照度が立ち上がったと判定し、ゲイン調整処理へ移行する（ステップＳ１５）。
【０１１０】
ゲイン調整が終了すると、第１キャリッジおよび第２キャリッジのホームポジションへの移動であるホーミング処理を行い、原稿画像読取が可能な待機状態へ移行し（ステップＳ１６）、露光ランプ５１の消灯処理を行って（ステップＳ１７）、処理を終了する。
【０１１１】
このように本実施の形態によれば、割込み信号によりゲイン調整が開始されるようにすることで、ソフト的な処理の負荷が低減される。
【０１１２】
［第３の実施の形態］
次に、本発明の第３の実施の形態を図８に基づいて説明する。なお、前述した第１の実施の形態と同じ部分は同じ符号で示し説明も省略する。
【０１１３】
図８は、スキャナ部２００の省エネモードからの復帰処理の流れを示すフローチャートである。本実施の形態は、第１の実施の形態または第２の実施の形態と同様に、ゲイン調整に用いる白基準板９０のピーク検出機能を用いて露光ランプ５１の照度の立ち上がりを検出し、ゲイン調整処理へ移行する為の判定処理を行うものである。
【０１１４】
ただし、露光ランプ５１を点灯してから、一定間隔でＡ／Ｄ変換後の白基準板９０の読取レベルの検出を行うが、本実施の形態においては、一定間隔で白基準板９０を読取り、ピークデータの変化率の演算を行い（ステップＳ２１）、変化率が基準値以下となった場合（ステップＳ２２のＹｅｓ）、ランプ照度が安定したと判断し、ゲイン調整に移行する（ステップＳ６）。
【０１１５】
なお、変化率の基準値は変更することができるものであっても良い。このように変化率の基準値を可変とすることにより、スキャナ部２００の状態に応じた変化率の基準値の設定が可能となる。
【０１１６】
［第４の実施の形態］
次に、本発明の第４の実施の形態を図９ないし図１１に基づいて説明する。なお、前述した第１の実施の形態と同じ部分は同じ符号で示し説明も省略する。
【０１１７】
ここで、図９はスキャナ部２００の制御系を示すブロック図である。図９に示すように、本実施の形態においては、ゲイン調整を行う機能を発揮するＡＧＣ回路９４を信号処理ＩＣ９１内に備えており、ハード的なゲイン調整が可能となっている。
【０１１８】
図１０は、ＡＧＣ回路９４の構成を示すブロック図である。ＡＧＣ回路９４におけるＡＧＣの起動は、SHGT信号のアサートにより実行される。SHGTアサート期間の画像データは、ＡＧＣ回路９４の平均化回路９４ａにて平均化される。平均化（例えば、４画素のデータの移動平均）によりノイズの影響を低減した画像データは、ピーク検出回路９４ｂにて１ライン毎のピークを検出される。ピーク検出データのラッチはLGT信号のネゲートタイミングで行われ、ピークデータが確定する。確定したピーク検出結果は、ゲイン演算回路９４ｄに入力され、予め設定された白レベル目標値９４ｃとの比較演算が行われる。目標値に対する公差外の場合にはゲイン演算が行われ、その値がゲインレジスタ９４ｅに設定される。
【０１１９】
ここで、図１１は画像読取時の主走査方向の同期信号と読取データの有効領域のタイミングチャートである。主走査の同期信号LSYNCに同期して、ＣＣＤイメージセンサ５４から１ライン毎のデータの読み取りが行われるが、１ラインの読取データのうち、図１１中のLGT信号のタイミングがＣＣＤ出力として有効な画像データの期間である。また、図１２は、副走査方向のタイミングチャートであり、SHGT信号はＡＧＣの実行期間を示している。
【０１２０】
図１３は、スキャナ部２００の省エネモードからの復帰処理の流れを示すフローチャートである。ここでは、第１キャリッジおよび第２キャリッジは、省エネモードへの移行時に白基準板９０の領域へ移動して停止した状態となっている。なお、通常動作に戻る場合、原稿のセットなどをトリガとして、復帰の処理が実行される。
【０１２１】
復帰処理が開始されると、信号処理ＩＣ９１等に必要な初期設定が行われ（ステップＳ３１）、露光ランプ５１の点灯処理が行われる（ステップＳ３２：点灯手段）。
【０１２２】
従来は、この後、第１キャリッジおよび第２キャリッジのホームポジションへと移動するホーミング動作を行うため、露光ランプ５１の照度の安定期間を確保することが可能となっていた。しかしながら、第１キャリッジおよび第２キャリッジがすでに白基準板９０の領域にいる場合においては、露光ランプ５１の照度の安定期間のウェイトが必要となる。前述したように、本実施の形態では、更なる調整時間の短縮を行うため、ゲイン調整の実行を行うと共に、露光ランプ５１の立ち上がりの検出を行なう。
【０１２３】
具体的には、ゲイン調整値が白レベル目標値（基準レベル）以下となるまで（ステップＳ３４のＹｅｓ：立ち上り検出手段）、ゲイン調整処理を実行する（ステップＳ３３：ゲイン調整手段）。すなわち、検出したゲイン調整値と基準レベルの比較を行い基準レベル以下となった場合に、ランプ照度が立ち上がったと判定しゲイン調整処理を終了する。
【０１２４】
ゲイン調整が終了すると、第１キャリッジおよび第２キャリッジのホームポジションへの移動であるホーミング処理を行い、原稿画像読取が可能な待機状態へ移行し（ステップＳ３５）、露光ランプ５１の消灯処理を行って（ステップＳ３６）、処理を終了する。
【０１２５】
なお、白レベル目標値（基準レベル）は、以下の方法で取得可能である。例えば、主電源ＯＮ時に初期設定処理、ランプ点灯処理、走行体のホーミング処理を経て、白基準板９０の領域への移動が行われ、ゲイン調整が行なわれる。このときの調整値に基づいて、ランプ立ち上りを判断するための白レベル目標値（基準レベル）の演算及び白レベル目標値（基準レベル）の保存が行われる。
【０１２６】
また、白レベル目標値（基準レベル）は変更することができるものであっても良い。このように白レベル目標値（基準レベル）を可変とすることにより、スキャナ部２００の状態に応じた白レベル目標値（基準レベル）の設定が可能となっている。
【０１２７】
このように本実施の形態においては、ゲイン調整の実行を行うと共にランプ立ち上がりの検出を兼ねることが可能となっている。
【０１２８】
なお、検出したゲイン調整値と基準レベルの比較を行い基準レベル以下となった場合に、ランプ照度が立ち上がったと判定しゲイン調整処理を終了するようにしたが、これに限るものではない。例えば、図１４に示すように、一定間隔で検出したゲイン調整値の変化率の演算を行い、変化率が基準値以下となった場合、ランプ照度が立ち上がったと判定しゲイン調整処理を終了するようにしても良い。
【０１２９】
また、変化率の基準値は変更することができるものであっても良い。このように変化率の基準値を可変とすることにより、スキャナ部２００の状態に応じた変化率の基準値の設定が可能となっている。
【図面の簡単な説明】
【０１３０】
【図１】本発明の第１の実施の形態にかかるデジタル複合機を概略的に示す構成図である。
【図２】デジタル複合機のハードウェア構成を示すブロック図である。
【図３】スキャナ部の読み取りユニットを示す概略構成図である。
【図４】スキャナ部の制御系を示すブロック図である。
【図５】スキャナ部の省エネモードからの復帰処理の流れを示すフローチャートである。
【図６】本発明の第２の実施の形態にかかるスキャナ部の制御系を示すブロック図である。
【図７】スキャナ部の省エネモードからの復帰処理の流れを示すフローチャートである。
【図８】本発明の第３の実施の形態にかかるスキャナ部の省エネモードからの復帰処理の流れを示すフローチャートである。
【図９】本発明の第４の実施の形態にかかるスキャナ部の制御系を示すブロック図である。
【図１０】ＡＧＣ回路の構成を示すブロック図である。
【図１１】画像読取時の主走査方向の同期信号と読取データの有効領域のタイミングチャートである。
【図１２】副走査方向のタイミングチャートである。
【図１３】スキャナ部の省エネモードからの復帰処理の流れを示すフローチャートである。
【図１４】スキャナ部の省エネモードからの復帰処理の流れを示すフローチャートである。
【符号の説明】
【０１３１】
５１      照明手段
９０      白基準板
９１ｃ      ゲインアンプ
２００      画像読取装置
３００      画像印刷装置
１０００    画像形成装置
１１１１    ＣＰＵ
【図１】
2008072375.tif 000003
【図２】
2008072375.tif 000004
【図３】
2008072375.tif 000005
【図４】
2008072375.tif 000006
【図５】
2008072375.tif 000007
【図６】
2008072375.tif 000008
【図７】
2008072375.tif 000009
【図８】
2008072375.tif 000010
【図９】
2008072375.tif 000011
【図１０】
2008072375.tif 000012
【図１１】
2008072375.tif 000013
【図１２】
2008072375.tif 000014
【図１３】
2008072375.tif 000015
【図１４】
2008072375.tif 000016